【手続補正書】
【提出日】平成19年5月1日(2007.5.1)
【手続補正１】
【補正対象書類名】特許請求の範囲
【補正対象項目名】全文
【補正方法】変更
【補正の内容】
【特許請求の範囲】
【請求項１】
第１の通信デバイス（１０２、３０２、４０２）と第２の通信デバイス（３１２、４０８）との間で少なくとも部分的にセキュア無線通信セッションを開始する方法であって、
互いの通信デバイスは、前記通信デバイス（１０２、３０２、３１２、４０２、４０８）との間で通信セッションを開始する開始ステップを有する専用の接触面（１０８、３０８、３１０、４０４、４０６）を含み、
前記開始ステップは、
前記第１の通信デバイス（１０２、３０２、４０２）と前記第２の通信デバイス（３１２、４０８）との間でセキュア無線通信を可能にするために、前記第１の通信デバイス（１０２、３０２、４０２）における前記専用の接触面（１０８、３０８、４０４）と前記第２の通信デバイス（３１２、４０８）における前記専用の接触面（３１０、４０６）とが互いに物理的に接することを検知する検知ステップを含むことを特徴とする方法。
【請求項２】
前記開始ステップは、
前記第１の通信デバイス（１０２、３０２、４０２）における前記専用の接触面（１０８、３０８、４０４）と前記第２の通信デバイス（３１２、４０８）における前記専用の接触面（３１０、４０６）との間で接触インタフェースを介して実行される
ことを特徴とする請求項１に記載の方法。
【請求項３】
前記第１の通信デバイス（１０２、３０２、４０２）における前記専用の接触面（１０８、３０８、４０４）と前記第２の通信デバイス（３１２、４０８）における前記専用の接触面（３１０、４０６）との間で接触インタフェースを介して実行される前記開始ステップは、
前記２つの通信デバイス（１０２、３０２、３１２、４０２、４０８）の間で、前記通信デバイスのいずれが開始部の役割（ステップ２０４）を担うかを決定するためにネゴシエーションを行なうステップを含む
ことを特徴とする請求項１または２に記載の方法。
【請求項４】
前記ネゴシエーションを行なうステップ（ステップ２０４）は、前記通信デバイス（１０２、３０２、３１２、４０２、４０８）のいずれが受信部の役割を担うことを決定するステップを含む
ことを特徴とする請求項３に記載の方法。
【請求項５】
前記第１の通信デバイス（１０２、３０２、４０２）における前記専用の接触面（１０８、３０８、４０４）と前記第２の通信デバイス（３１２、４０８）における前記専用の接触面（３１０、４０６）との間で接触インタフェースを介して実行される前記開始ステップは、
一方が開始部であり、他方が受信部である前記２つの通信デバイス（１０２、３０２、３１２、４０２、４０８）の間で認証情報を交換する（ステップ２０６）ステップを含む
ことを特徴とする請求項４に記載の方法。
【請求項６】
前記２つの通信デバイス（１０２、３０２、３１２、４０２、４０８）の間で無線インタフェースを介して通信セッションを継続するステップを含む
ことを特徴とする請求項１乃至５の何れか１項に記載の方法。
【請求項７】
他の通信制御デバイス（３１２）との間でセキュア無線通信セッションを開始する通信制御デバイス（１０２、３０２）であって、
前記通信制御デバイスは、
前記他の通信制御デバイス（３１２）における専用の接触面（３１０）との物理的な接触のために備えられた専用の接触面（１０８、３０８）と、
前記通信制御デバイス（１０２、３０２）における前記専用の接触面（１０８、３０２）と前記他の通信制御デバイス（３１２）における専用の接触面（３１０）とが互いに物理的に接触していることを検知することによって通信を開始する、前記専用の接触面（１０８、３０８）に接続された制御ユニット（１０６、３０６）とを含み、
前記通信制御デバイス（１０２、３０２）に関係した無線通信ユニット（１０４，３０４）と前記他の通信制御デバイス（３１２）に関係した無線通信ユニット（３１４）との間で無線インタフェースを介してセキュア無線通信を可能とするよう無線通信ユニットに接続されることを特徴とする通信制御デバイス。
【請求項８】
前記通信制御デバイス（１０２、３０２）の無線通信ユニット（１０４、３０４）と前記他の通信制御デバイス（３１２）に関係する無線通信ユニット（３１４）との間で前記無線インタフェースを介してセキュア無線通信を可能とする前記無線通信ユニット（１０４、３０４）を含み、
前記専用の接触面（１０８、３０８）と前記無線通信ユニット（１０４、３０４）が前記制御ユニット（１０６、３０６）に接続されていることを特徴とする請求項７に記載の通信制御デバイス。
【請求項９】
前記制御ユニット（１０６、３０６）は、
前記通信制御デバイス（１０２、３０２）における前記専用の接触面（１０８、３０８）と前記他の通信制御デバイス（３１２）における前記専用の接触面（３１０）との間で前記接触インタフェースを介して通信を開始する
ことを特徴とする請求項７または８に記載の通信制御デバイス。
【請求項１０】
前記通信制御デバイス（１０２、３０２）における前記専用の接触面（１０８、３０８）の少なくとも一部は、電流を導通できることを特徴とする請求項７乃至９の何れか１項に記載の通信制御デバイス。
【請求項１１】
少なくとも１つの他の携帯通信デバイス（４０８）と通信をおこなう携帯通信デバイス（４０２）であって、
前記携帯通信デバイス（４０２）は、
通信制御デバイス（１０２、３０２）と前記他の携帯通信デバイス（４０８）における通信制御デバイス（３１２）との間でセキュア無線通信セッションを開始する通信制御ユニット（１０６、３０６）を含み、
前記携帯通信デバイス（４０２）における前記通信制御デバイス（１０２、３０２）は、
前記他の通信制御デバイス（３１２）における専用の接触面（３１０、４０６）と物理的に接するために備えられた専用の接触面（１０８、３０８、４０４）と、
前記通信制御デバイス（１０２、３０２）における前記専用の接触面（１０８、３０８）と前記他の通信制御デバイス（３１２）における前記専用の接触面（３１０）とが、接触インタフェースを介して互いに物理的に接触していることを検知するために備えられた、前記専用の接触面（１０８、３０８）に接続された制御ユニット（１０６、３０６）とを含み、
前記通信制御デバイス（１０２、３０２）の無線通信ユニット（１０４，３０４）と前記他の通信制御デバイス（３１２）に関係した無線通信ユニット（３１４）との間で無線インタフェースを介してセキュア無線通信を可能とするため無線通信ユニット（１０４、３０４）に結合されることを特徴とする携帯通信デバイス。
【請求項１２】
前記携帯通信デバイス（４０２）における前記無線通信ユニット（１０４、３０４）と前記他の携帯通信デバイス（４０８）に関係する無線通信ユニット（３１４）との間で前記無線インタフェースを介してセキュア無線通信を可能にするための前記無線通信ユニット（１０４、３０４）を含み、
前記携帯通信デバイス（４０２）における前記専用の接触面（１０８、３０８、４０４）と前記無線通信ユニット（１０４、３０４）が前記制御ユニット（１０６、３０６）に接続されていることを特徴とする請求項１１に記載の携帯通信デバイス。
【請求項１３】
前記無線通信ユニット（１０４、３０４）は、Ｂｌｕｅｔｏｏｔｈ（登録商標）ユニットであることを特徴とする請求項１１または１２に記載の携帯通信デバイス。
【請求項１４】
前記携帯通信デバイス（４０２）は、携帯電話であることを特徴とする請求項１１乃至１３の何れか１項に記載の携帯通信デバイス。
【請求項１５】
携帯通信デバイス（４０２）における前記専用の接触面（１０８、３０８、４０４）の少なくとも一部は、前記携帯通信デバイス（４０２）の外面から突き出しており、前記携帯通信デバイス（４０２）の前記専用の接触面（１０８、３０８、４０４）と前記他の通信デバイス（４０８）における専用の接面（３１０、４０６）とが互いに物理的に接触することを可能にしていることを特徴とする請求項１１乃至１４の何れか１項に記載の携帯通信デバイス。
【請求項１６】
携帯通信デバイス（４０２）における前記専用の接面（１０８、３０８、４０４）の少なくとも一部は、前記携帯通信デバイス（４０２）の外面から突き出し可能であり、前記携帯通信デバイス（４０２）の前記専用の接触面（１０８、３０８、４０４）と前記他の通信デバイス（４０８）における専用の接触面（３１０、４０６）とは、前記接触インタフェースを介して互いに物理的に接触することを可能にしていることを特徴とする請求項１１乃至１４の何れか１項に記載の携帯通信デバイス。
【請求項１７】
携帯通信デバイス（４０２）における前記専用の接触面（１０８、３０８、４０４）の少なくとも一部は、凸状の外面をもち、前記携帯通信デバイス（４０２）における前記専用の接触面（１０８、３０８、４０４）と前記他の通信デバイス（４０８）における専用の接触面（３１０、４０６）とは前記接触インタフェースを介して互いに物理的に接触することを可能にしていることを特徴とする請求項１１乃至１４の何れか１項に記載の携帯通信デバイス。
【請求項１８】
少なくとも第１の携帯通信デバイス（４０２）および第２の携帯通信デバイス（４０８）を有する通信システムであって、
前記第１および第２の携帯通信デバイス（４０２、４０８）の両方は請求項１１乃至１７のいずれか１項に記載のデバイスであり、前記携帯通信デバイス（４０２、４０８）の間でセキュア無線通信セッションを開始することを特徴とする通信システム。